(57)【要約】【課題】カップリングから受ける力によって発生する応力による破損を防止することが可能な中子用ジョイントを提供する。【解決手段】一端に大径部１ａ、２ａと小径部１ｂ、２ｂとを有し、該大径部１ａ、２ａは中子と該中子を引き抜く為のシリンダとを連結するカップリング３内の溝３ｃに収容され、該小径部１ｂ、２ｂは該カップリング３の孔３ａ、３ｂを貫通する中子用ジョイント１、２である。中子用ジョイント１、２の小径部１ｂ、２ｂには応力緩和溝１ｄ、２ｄが形成されている。【選択図】図１
2009045651.tif 000002
【特許請求の範囲】
【請求項１】
一端に大径部と小径部とを有し、該大径部は中子と該中子を引き抜く為のシリンダとを連結するカップリング内の溝に収容され、該小径部は該カップリングの孔を貫通する中子用ジョイントにおいて、該小径部に応力緩和溝が形成されたことを特徴とする中子用ジョイント。
【発明の詳細な説明】
【技術分野】
【０００１】
本発明は、金型に組み込まれる中子と該中子を引き抜く為のシリンダとを連結する為に用いられる中子用ジョイントに関する。
【背景技術】
【０００２】
ダイカスト法等の鋳造においては、金型に組み込まれた中子を引き抜く中子引き抜き装置が用いられている。中子引き抜き装置は、中子引き抜き用のシリンダを有しており、このシリンダが中子と連結される。（例えば、特許文献１参照）
【０００３】
中子とシリンダの連結は、図２に示すように、図示せぬ中子に固定された中子側ジョイント１０１と、図示せぬシリンダのピストンロッドに連結されたシリンダ側ジョイント１０２とをカップリング１０３により連結することにより行われるのが一般的である。カップリング１０３は２つ割れ部材からなり、２つ割れ部材が結合されることにより、中子側孔１０３ａと、シリンダ側孔１０３ｂと、中子側孔１０３ａとシリンダ側孔１０３ｂとに連通する溝部１０３ｃが形成されている。
【０００４】
中子側ジョイント１０１のカップリング１０３に収容される部分は大径部１０１ａと小径部１０１ｂとからなり、大径部１０１ａはカップリング１０３の溝部１０３ｃに収容され、小径部１０１ｂは中子側孔１０３ａを貫通している。同様に、シリンダ側ジョイント１０２のカップリング１０３に収容される部分は大径部１０２ａと小径部１０２ｂとからなり、大径部１０２ａはカップリング１０３の溝部１０３ｃに収容され、小径部１０２ｂはシリンダ側孔１０３ｂを貫通している。
【０００５】
中子側ジョイント１０１の大径部１０１ａの付け根には加工時にＲ部１０１ｃが形成されている。同様に、シリンダ側ジョイント１０２の大径部１０２ａの付け根には加工時にＲ部１０２ｃが形成されている。中子側ジョイント１０１のＲ部１０１ｃは、大径部１０１ａがカップリング１０３から受ける力によって発生する応力を低減させる効果を発揮し、シリンダ側ジョイント１０２のＲ部１０２ｃは、大径部１０２ａがカップリング１０３から受ける力によって発生する応力を低減させる効果を発揮する。
【０００６】
しかし、形成されたＲ部１０１ｃ、１０２ｃが小さい場合、中子の引き抜き動作を繰り返し行っていると、中子側ジョイント１０１の大径部１０１ａと、シリンダ側ジョイント１０２の大径部１０２ａとはカップリング１０３から受ける力によって発せする応力によって破損してしまう。従って、中子側ジョイント１０１とシリンダ側ジョイント１０２を交換することが必要になってしまう。また、Ｒ部１０１ｃ、１０２ｃを大きく形成した場合には、カップリング１０３の溝部１０３ｃに、中子側ジョイント１０１の大径部１０１ａとシリンダ側ジョイント１０２の大径部１０２ｃとを収容することが出来なくなるという問題が生じてしまう。
【０００７】
【特許文献１】特開２００４−３３７９１４号公報
【発明の開示】
【発明が解決しようとする課題】
【０００８】
本発明は上記従来の問題に鑑みてなされ、カップリングから受ける力によって発生する応力による破損を防止することが可能な中子用ジョイントを提供することを課題とする。
【課題を解決するための手段】
【０００９】
上記課題を解決するため、本発明は、一端に大径部１ａ、２ａと小径部１ｂ、２ｂとを有し、該大径部１ａ、２ａは中子と該中子を引き抜く為のシリンダとを連結するカップリング３内の溝３ｃに収容され、該小径部１ｂ、２ｂは該カップリング３の孔３ａ、３ｂを貫通する中子用ジョイント１、２において、該小径部１ｂ、２ｂに応力緩和溝１ｄ、２ｄが形成された中子用ジョイント１、２を採用する。
【発明の効果】
【００１０】
本発明によれば、カップリングの孔を貫通する中子用ジョイントの小径部に応力緩和溝が形成されているので、カップリングの形状とサイズを変更することなく、中子用ジョイントの大径部がカップリングから受ける力によって発生する応力によって破損するのを防止することができる。
【発明を実施するための最良の形態】
【００１１】
以下、本発明の実施の形態について図１を用いて説明する。図１に示すように、図示せぬ中子に他端が固定された中子側ジョイント１の一端と、図示せぬシリンダのピストンロッドに他端が連結されたシリンダ側ジョイント２の一端とはカップリング３により連結されている。カップリング３は２つ割れ部材からなり、２つ割れ部材が結合されることにより、中子側孔３ａと、シリンダ側孔３ｂと、中子側孔３ａとシリンダ側孔３ｂとに連通する溝部３ｃが形成されている。尚、中子側ジョイント１とシリンダ側ジョイント２の双方が中子用ジョイントに相当する。
【００１２】
中子側ジョイント１のカップリング３に収容される部分は大径部１ａと小径部１ｂとからなり、大径部１ａはカップリング３の溝部３ｃに収容され、小径部１ｂは中子側孔３ａを貫通している。同様に、シリンダ側ジョイント２のカップリング３に収容される部分は大径部２ａと小径部２ｂとからなり、大径部２ａはカップリング３の溝部３ｃに収容され、小径部２ｂはシリンダ側孔３ｂを貫通している。
【００１３】
カップリング３の中子側孔３ａを貫通する中子側ジョイント１の小径部１ｂには、大径部１ａの付け根のＲ部１ｃに隣接する応力緩和溝１ｄが形成されている。同様に、カップリング３のシリンダ側孔３ｂを貫通するシリンダ側ジョイント２の小径部２ｂには、大径部２ａの付け根のＲ部２ｃに隣接する応力緩和溝２ｄが形成されている。Ｒ部１ｃ、２ｃに隣接して応力緩和溝１ｄ、２ｄが形成されていることから、大径部１ａ、２ａがカップリング３から受ける力によって発生する応力を十分に低下させ、破損を防止することができる。
【００１４】
本発明の中子用ジョイントは、上述した実施の形態に限定されず、特許請求の範囲に記載した範囲で種々の変形や改良が可能である。例えば、上述した実施の形態では、カップリング３は１つの溝部３ｃを有し、この１つの溝部３ｃに中子側ジョイント１の大径部１ａとシリンダ側ジョイント２の大径部２ａが収容されたが、カップリング３に２つの溝部を設け、一方の溝部に中子側ジョイント１の大径部１ａを収容し、他方の溝部にシリンダ側ジョイント２の大径部２ａを収容するようにしてもよい。
【図面の簡単な説明】
【００１５】
【図１】本実施例に係る中子側ジョイントとシリンダ側ジョイントのカップリングによる連結状態を示す断面図。
【図２】従来の中子側ジョイントとシリンダ側ジョイントのカップリングによる連結状態を示す断面図。
【符号の説明】
【００１６】
１    中子側ジョイント
１ａ  大径部
１ｂ  小径部
１ｃ  Ｒ部
１ｄ  応力緩和溝
２    シリンダ側ジョイント
２ａ  大径部
２ｂ  小径部
２ｃ  Ｒ部
２ｄ  応力緩和溝
３    カップリング
３ａ  中子側孔
３ｂ  シリンダ側孔
３ｃ  溝部
【図１】
2009045651.tif 000003
【図２】
2009045651.tif 000004